(57)【要約】【課題】冬場などの寒冷期などのおいても快適に使用することができる高座椅子を提供する。【解決手段】高座椅子１００は、座部１１０、背もたれ１２０、支持脚１３０および制御装置１４０をそれぞれ備えている。座部１１０は、使用者Ｕが着座する座面１２０ａの高さｈが使用者Ｕの踝の高さ以上かつ膝の高さ未満に設定されているとともに同座面１１０ａ内に座面ヒータ１１４を備えている。座面ヒータ１１４は、座部１１０上における使用者Ｕの坐骨ＺＢの下端部の直下部分よりも高座椅子１００の前方側であって同前方側に向かって２つの座面ヒータ１１４が広がって設けられている。すなわち、座面ヒータ１１４は、座面１１０ａ上における使用者Ｕの坐骨ＺＢおよび尾骨ＢＢの各直下部分を避けた位置にのみ設けられている。背もたれ１２０は、使用者Ｕの背部を加温するための背受け面ヒータ１２２が使用者Ｕの肋骨ＲＢに対向する部分よりも下方にのみ設けられている。【選択図】  図３
2016158694.tif 000002
【特許請求の範囲】
【請求項１】
使用者が着座する座部と、
前記座部上に着座した前記使用者の背部を支持する背もたれと、
前記座部における前記使用者が着座する座面に設けられて同座面を加温する座面ヒータとを備え、
前記座部は、
前記座面の高さが前記使用者の踝（くるぶし）の高さ以上かつ膝の高さ未満の高さに設定されており、
前記座面ヒータは、
前記座面における前記使用者の臀部が載置される部分および大腿部の付け根部分が載置される部分のうちの少なくとも一方にのみ設けられていることを特徴とする高座椅子。
【請求項２】
請求項１に記載した高座椅子において、
前記座面ヒータは、
前記座面における前記使用者の坐骨の下端部の直下部分および尾骨の下端部の直下部分のうちの少なくとも一方を避けた位置に設けられていることを特徴とする高座椅子。
【請求項３】
請求項１または請求項２に記載した高座椅子において、
前記座面ヒータは、
前記座面における前記使用者の坐骨の下端部の直下部分よりも前方側に設けられていることを特徴とする高座椅子。
【請求項４】
請求項３に記載した高座椅子において、
前記座面ヒータは、
前記座面における前記使用者の両脚の前記各大腿部がそれぞれ載置される部分に沿って２列で延びるとともに、これらの２列の前記座面ヒータの間隔が前記高座椅子の前方に向かって広がって設けられていることを特徴とする高座椅子。
【請求項５】
請求項１ないし請求項４のうちのいずれか１に記載した高座椅子において、
前記座部は、
前記座面のうちの前部側が後部側に対して高さが高く形成されていることを特徴とする高座椅子。
【請求項６】
請求項１ないし請求項５のうちのいずれか１に記載した高座椅子において、さらに、
前記背もたれに前記使用者がもたれ掛る背受け面に設けられて同背受け面を加温する背受け面ヒータを備え、
前記背受け面ヒータは、
前記背受け面における前記使用者の肋骨に対向する部分を避けて同肋骨に対向する部分よりも下方の位置にのみ設けられていることを特徴とする高座椅子。
【発明の詳細な説明】
【技術分野】
【０００１】
本発明は、床面の近くに座面が形成された高椅子に関する。
【背景技術】
【０００２】
従来から、座敷や板敷の部屋において床面に直接座るよりも楽に座ることができる椅子として高座椅子が使用されている。高座椅子は、例えば、下記特許文献１に示されるように、高座椅子が設置される床面の近くに座面が形成されて構成されている。このような高座椅子は、和室で使用されることが多いため、若年者よりも比較的高齢者に好まれて使用される傾向にある。
【先行技術文献】
【特許文献】
【０００３】
【特許文献１】特開平１１−２０６９１５号公報
【０００４】
しかしながら、上記特許文献１に記載された高座椅子においては、冬場などの寒冷期の使用時に座面の冷たさによって不快感が大きいという問題がある。
【０００５】
本発明は上記問題に対処するためなされたもので、その目的は、冬場などの寒冷期などのおいても快適に使用することができる高座椅子を提供することにある。
【発明の概要】
【０００６】
上記目的を達成するため、本発明の特徴は、使用者が着座する座部と、座部上に着座した使用者の背部を支持する背もたれと、座部における使用者が着座する座面に設けられて同座面を加温する座面ヒータとを備え、座部は、座面の高さが使用者の踝（くるぶし）の高さ以上かつ膝の高さ未満の高さに設定されており、座面ヒータは、座面における使用者の臀部が載置される部分および大腿部の付け根部分が載置される部分のうちの少なくとも一方にのみ設けられていることにある。
【０００７】
このように構成した本発明の特徴によれば、高座椅子は、使用者が着座する座面に座面ヒータが設けられているため、この座面ヒータによって座面を加温することにより座面の冷たさを抑制して寒冷期においても快適に使用することができる。また、この高座椅子は、座面の高さが使用者の踝（くるぶし）の高さ以上かつ膝の高さ未満の高さに設定されているとともに、座面における使用者の臀部が載置される部分および大腿部の付け根部分が載置される部分のうちの少なくとも一方のみに座面ヒータが設けられている。このため、高座椅子は、使用者が座面に着座した際に大腿部の膝側の部分が座面から浮いて大腿部に接触しないことがあっても大腿部の付け根部分から臀部に掛けて部分が必ず座面に密着する。これにより、高座椅子は、座面ヒータの面積を小さくして消費電力を抑えつつ効率的に使用者を加温することができる。また、高座椅子は、消費電力を抑えることができるため、座面ヒータを駆動する電源を家庭用電源などの外部電源ではなく、電池などの内部電源や太陽光パネルなどの小型発電機を電源として用いることで広範な場所に設置して使用することができる。
【０００８】
また、本発明の他の特徴は、前記高座椅子において、座面ヒータは、座面における使用者の坐骨の下端部の直下部分および尾骨の下端部の直下部分のうちの少なくとも一方を避けた位置に設けられていることにある。この場合、坐骨の下端部および尾骨の下端部とは、坐骨および尾骨における最も座面に近い最下端部のことである。
【０００９】
このように構成した本発明の特徴によれば、高座椅子は、座面ヒータが座面における使用者の坐骨の下端部の直下部分および尾骨の下端部の直下部分のうちの少なくとも一方を避けた位置に設けられているため、着座時に座面に対して張り出して配置される坐骨や尾骨の各周辺部分が他の部分よりも加温されることを避けるとともに坐骨や尾骨の押圧による座面ヒータの損傷を抑制することができる。特に、使用者が高齢者の場合には、臀部の肉が著しく減少して着座時に坐骨や尾骨の尖った下端部が座面に対して突出し易いため、加温感のムラや座面ヒータの損傷を効果的に抑制することができる。すなわち、本願発明に係る高座椅子は、高齢者用の高座椅子としても実施することができる。
【００１０】
また、本発明の他の特徴は、高座椅子において、座面ヒータは、座面における使用者の坐骨の下端部の直下部分よりも前方側に設けられていることにある。
【００１１】
このように構成した本発明の特徴によれば、高座椅子は、座面ヒータが座面における使用者の坐骨の下端部の直下部分よりも前方側に設けられているため、使用者の加温効果を確保しつつ使用者の坐骨や尾骨の各直下部分を簡単に避けて座面ヒータを配置することができる。
【００１２】
また、本発明の他の特徴は、前記高座椅子において、座面ヒータは、座面における使用者の両脚の各大腿部がそれぞれ載置される部分に沿って２列で延びるとともに、これらの２列の座面ヒータの間隔が高座椅子の前方に向かって広がって設けられていることにある。
【００１３】
このように構成した本発明の特徴によれば、高座椅子は、座面ヒータが使用者の大腿部がそれぞれ載置される部分に沿って２列で延びるとともに座椅子の前方に向かって広がって設けられているため、膝よりも低い高さの座面に着座することにより両脚が開き易い高座椅子においても使用者を効果的に加温することができる。
【００１４】
また、本発明の他の特徴は、前記高座椅子において、座部は、座面のうちの前部側が後部側に対して高さが高く形成されていることにある。
【００１５】
このように構成した本発明の特徴によれば、高座椅子は、座部が座面のうちの前部側が後部側に対して高さが高く形成されているため、使用者の大腿部の臀部側および臀部がより効果的に座面に密着して加温することができる。
【００１６】
また、本発明の他の特徴は、前記高座椅子において、さらに、背もたれに使用者がもたれ掛る背受け面に設けられて同背受け面を加温する背受け面ヒータを備え、背受け面ヒータは、背受け面における前使用者の肋骨に対向する部分を避けて同肋骨に対向する部分よりも下方の位置にのみ設けられていることにある。
【００１７】
このように構成した本発明の特徴によれば、高座椅子は、使用者がもたれ掛る背もたれの背受け面における使用者の肋骨に対向する部分を避けて同肋骨に対向する部分よりも下方の位置にのみ背受け面ヒータが設けられているため、着座時に背受け面に対して張り出して対向する肋骨の各周辺部分が他の部分よりも加温されることを避けるとともに肋骨の押圧による背受け面ヒータの損傷を抑制することができる。特に、使用者が高齢者の場合には、背部の肉が著しく減少して背もたれの使用時に肋骨が背受け面に対して突出し易いため、加温感のムラや背受け面ヒータの損傷を効果的に抑制することができる。
【図面の簡単な説明】
【００１８】
【図１】本発明の一実施形態に係る高座椅子の外観構成を斜め前方から概略的に示す前方斜視図である。
【図２】図１に示す高座椅子の作動を制御する制御システムのブロック図である。
【図３】図１に示す高座椅子の内部構造を使用状態で模式的に示す側面断面図である。
【図４】図１に示す高座椅子における座部に対する使用者の骨盤と座面ヒータとの関係を模式的に示す座部の平面図である。
【発明を実施するための形態】
【００１９】
以下、本発明に係る高座椅子の一実施形態について図面を参照しながら説明する。図１は、本発明に係る高座椅子１００の外観構成の概略を斜め前方から示した前方斜視図である。また、図２は、図１に示す高座椅子１００の作動を制御する制御システムのブロック図である。また、図３は、図１に示す椅子１００における内部構造を模式的に示す断面図である。この高座椅子１００は、使用者Ｕが座敷や板敷の部屋で床面に対して低い高さで着座する器具である。
【００２０】
（高座椅子１００の構成）
高座椅子１００は、主として、座部１１０、背もたれ１２０、支持脚１３０および制御装置１４０をそれぞれ備えて構成されている。座部１１０は、使用者Ｕの臀部および大腿部が載置されて使用者Ｕが着座する部分であり、臀部および大腿部が載置可能な平面視で方形の厚板状に形成されている。この座部１１０は、ベース板１１１上にリクライニング機構１１２、座部クッション体１１３および座面ヒータ１１４をそれぞれ備えるとともに、これらが座部外皮材１１５によって覆われて構成されている。
【００２１】
ベース板１１１は、座部１１０全体を支持脚１３０上で支持するための部品であり、木材を平面視で方形の板状体に形成して構成されている。ベース体１１１は、上面にリクライニング機構１１２が取り付けられているとともに同上面が座部クッション体１１３によって覆われている。
【００２２】
リクライニング機構１１２は、背もたれ１２０を座部１１０に対して垂直状態または傾斜した状態でそれぞれ支持するための部品であり、段階的に角度を規定するラチェット機構１１２ａ、３つの金属製のフレーム体１１２ｂ〜１１２ｄおよび中折れ機構１１２ｅをそれぞれ備えて構成されている。
【００２３】
より具体的には、リクライニング機構１１２は、座部１１０の内部に配置される平面視で方形枠状のフレーム体１１２ｂと背もたれ１２０の内部の下方に配置される正面視で方形枠状のフレーム体１１２ｃとがラチェット機構１１２ａを介して互いに連結されて構成されている。また、リクライニング機構１１２は、前記フレーム体１１２ｃと背もたれ１２０の内部の上方に配置される正面視で方形枠状のフレーム体１１２ｄとが中折れ機構１１２ｅを介して互いに連結されている
【００２４】
中折れ機構１１２ｅは、フレーム体１１２ｄをフレーム体１１２ｃに対して座部１１０側に傾倒、すなわち、背もたれ１２０における上側半分を下側半分に対して座部１１０側に傾倒させて高座椅子１００の全高を低くして収納および運搬を容易するための機械部品である。このリクライニング機構１１２は、座部１１０の側方に設けられた操作レバー１１２ｆを使用者Ｕが手動操作することによって背もたれ１３０全体を座部１１０に対して９０°（垂直状態）〜０°（水平状態）の角度範囲で段階的に角度を固定することができる。
【００２５】
座部クッション体１１３は、使用者Ｕの臀部および大腿部を弾性的に受け止める部品であり、ウレタン樹脂などの弾性体を平面視で方形状に形成して構成されている。この場合、座部クッション体１１３は、使用者Ｕが着座した状態における使用者Ｕの臀部側から大腿部側に向かって高さが高くなるとともにその後膝側に向かって高さが低くなるように傾斜した形状に形成されている。なお、座部クッション体１１３は、上面全体が平面状に形成されていてもよいことは当然である。この座部クッション体１１３の上面には、座面ヒータ１１４が設けられている。
【００２６】
座面ヒータ１１４は、座部１１０の上面である座面１１０ａ上に着座する使用者Ｕの臀部から大腿部に掛けての範囲を加温するための器具であり、電熱材料であるＰＴＣヒータ、ニクロム線またはカーボン繊維のほか、電熱材料以外の発熱体、例えば、カイロなどで構成されている。本実施形態においては、座面ヒータ１１４は、制御装置１４０によって作動が制御されるシート状のＰＴＣヒータによって構成されている。この座面ヒータ１１４は、図４に示すように、座部１１０上に着座する使用者Ｕの両脚の各大腿部の位置に対応する位置にそれぞれ設けられている。より具体的には、各座面ヒータ１１４は、使用者Ｕの大腿部の臀部との境界部分である付け根部分から大腿部の長手方向中間部分までの範囲の大腿部に対向する位置および長さでそれぞれ帯状に延びて形成されている。
【００２７】
この場合、各座面ヒータ１１４は、座部１１０における使用者Ｕの坐骨ＺＢにおける下端部の直下部分よりも前方側に設けられている。ここで、坐骨ＺＢの下端部とは、坐骨ＺＢにおける座面１１０ａに向かってに最も張り出した最下端部である。これにより、左右２つの座面ヒータ１１４は、座部１１０の後方から前方に向かう座部クッション体１１３の上り傾斜面上に前方に向かって両者の間隔が広がる配置で設けられている。そして、これらの各座面ヒータ１１４は、座部外皮材１１５の内側面に形成された袋状のヒータ収納部１１５ａ内にそれぞれ収容されている。
【００２８】
座部外皮材１１５は、座部クッション体１１３の外表面を覆って使用者Ｕに接する所謂張地であり、綿材、樹脂材または革材を単独でまたはこれらの混合した布地で構成されている。なお、図１および図４においては、座面ヒータ１１４を破線で示している。また、図３においては、使用者Ｕを二点鎖線で示している。また、図４においては、使用者Ｕの骨盤を二点鎖線で示している。
【００２９】
背もたれ１２０は、座部１１０上に着座した使用者Ｕの上半身がもたれ掛った状態で支持する部分であり、使用者Ｕの背部より大きな正面視で方形の板状に形成されている。この背もたれ１２０は、前記リクライニング機構１１２におけるフレーム体１１２ｃ，１１２ｄの外側を覆う背部クッション体１２１およびこの背部クッション体１２１を覆う背部外皮材１２３によって構成されている。
【００３０】
背部クッション体１２１は、座部クッション体１１３と同様に、使用者Ｕの背部を弾性的に受け止める部品であり、ウレタン樹脂などの弾性体を正面視で方形状に形成して構成されている。この場合、背部クッション体１２１は、使用者Ｕがもたれ掛る面である背受け面１２０ａ上における使用者Ｕの腰部および肩部がそれぞれ対向する部分が使用者Ｕの背中の中央部分が対向する部分よりも盛り上がって形状に形成されている。なお、背部クッション体１２１は、背受け面１２０ａ全体が平面状に形成されていてもよいことは当然である。この背部クッション体１２１の上面には、背受け面ヒータ１２１が設けられている。
【００３１】
背受け面ヒータ１２２は、座面ヒータ１１４と同様に、背受け面１２０ａ上にもたれ掛かる使用者Ｕの背部を加温するための器具であり、電熱材料であるＰＴＣヒータ、ニクロム線またはカーボン繊維のほか、電熱材料以外の発熱体、例えば、カイロなどで構成されている。本実施形態においては、背受け面ヒータ１２２は、制御装置１４０によって作動が制御されるシート状のＰＴＣヒータによって構成されている。この背受け面ヒータ１２２は、座部１１０上に着座する使用者Ｕの背部の腰部に対応する位置に設けられている。より具体的には、背受け面ヒータ１２２は、使用者Ｕの肋骨ＲＢに対向する位置よりも下方の腰部に対向する位置および大きさの正面視で長方形状に形成されている。
【００３２】
これにより、背受け面ヒータ１２２は、使用者Ｕの腰部に対向する盛り上がり部分に設けられている。そして、この背受け面ヒータ１２２は、背部外皮材１２３の内側面に形成された袋状のヒータ収納部１２３ａ内にそれぞれ収容されている。背部外皮材１２３は、前記座部外皮材１１５と同様に、背部クッション体１２１の外表面を覆って使用者Ｕに接する所謂張地であり、綿材、樹脂材または革材を単独でまたはこれらの混合した布地で構成されている。なお、図１においては、背受け面ヒータ１２２を破線で示している。
【００３３】
支持脚１３０は、座部１１０およびこの座部１１０上に着座する使用者Ｕを支持する部品であり、主として柱体１３１、座部支持梁１３２およびアームレスト１３３で構成されている。柱体１３１は、座部１１０を座部支持梁１３２を介して支持する部品であり、座部１１０の左右の両側の床面Ｇからそれぞれ２つずつ起立して延びる木製の板状体で構成されている。この柱体１３１は、高さ方向における複数の位置で選択的に座部支持梁１３２を取り付けることができる。
【００３４】
座部支持梁１３２は、座部１１０を支持するための部品であり、前記左右の柱体１３１間に架設される２つの木製の板状体で構成されている。これらの座部支持梁１３２は、柱体１３１に対して高さ方向の複数の位置で選択的に取り付けられることによって座部１１０の高さｈを変更することができる。この場合、座部１１０の高さ方向の位置は、座部１１０の上面である座面１１０ａが使用者Ｕの踝（くるぶし）の高さ以上かつ膝の高さ未満の高さとなる位置である。また、この場合、座部１１０の高さｈは、座面１１０ａにおける臀部が位置する部分の床面Ｇからの高さである。
【００３５】
アームレスト１３３は、座部１１０上に使用者Ｕが着座中または着座前後に手を掛けることができる部品であり、左右の柱体１３１上においてそれぞれ水平方向に延びる木製の板状体で構成されている。これら２つのアームレスト１３３のうちの一方（本実施形態においては左側）のアームレスト１３３の下方には、収納ポケット１３４が下垂した状態で設けられている。収納ポケット１３４は、使用者Ｕが使用する小物類や後述する操作子１４１を収納することができる袋体である。
【００３６】
制御装置１４０は、ＣＰＵ、ＲＯＭ、ＲＡＭなどからなるマイクロコンピュータによって構成されており、座面ヒータ１１４および背受け面ヒータ１２２の作動をそれぞれ制御する。具体的には、制御装置１４０は、使用者Ｕからの指示を操作子１４１を介して入力することにより、ＲＯＭなどの記憶装置に予め記憶された制御プログラムを実行することによって座面ヒータ１１４および背受け面ヒータ１２２の作動を制御する。この制御装置１４０は、背もたれ１２０の背部クッション１２１内に埋設されている。なお、図２においては、制御装置１４０を二点鎖線で示している。
【００３７】
操作子１４１は、制御装置１４０に対して使用者Ｕの指示を入力するスイッチ類および制御装置１４０からの情報を表示するためのＬＥＤランプをそれぞれ備えたユーザインターフェースであり、使用者Ｕが片手で保持できる大きさに形成されている。なお、この高座椅子１００は、家庭用電源から電力を導入する電源コードおよび導入した電力を座面ヒータ１１４、背受け面ヒータ１２２および制御装置１４０にそれぞれ供給するための図示しない電源部なども備えているが、これらについては、本発明に直接関わらないため、その説明は省略する。
【００３８】
（高座椅子１００の作動）
次に、このように構成した高座椅子１００の作動について説明する。まず、この高座椅子１００を使用する使用者Ｕは、高座椅子１００を用意して座敷や板敷の床面Ｇ上に設置する。次に、使用者Ｕは、座部１１０の高さｈおよび背もたれ１２０のリクライニング角度を好みの高さおよび角度にそれぞれ設定するとともに高座椅子１００における図示しない電源コードを図示しない家庭用電源の差し込み口（所謂コンセント）に差し込んだ後、座部１１０上に着座する。
【００３９】
次に、使用者Ｕは、操作子１４１を操作して制御装置１４０の電源をＯＮにした後、座面ヒータ１１４および背受け面ヒータ１２２による加温を制御装置１４０に指示する。この指示に応答して、制御装置１４０は、ＲＯＭ内に記憶されている加温用制御プログラム
ＲＯＭなどの記憶装置に予め記憶されている図示しない加温用制御プログラムを実行することによって座面ヒータ１１４および背受け面ヒータ１２２に通電して作動を開始させる。
【００４０】
これにより、高座椅子１００は、座面ヒータ１１４および背受け面ヒータ１２２が発熱するため、これらの座面ヒータ１１４および背受け面ヒータ１２２上にそれぞれ位置する使用者Ｕの身体の各部位を加温することができる。この場合、高座椅子１００は、座部１１０の座面１１０ａの高さｈが使用者Ｕの膝の高さ未満に設定されているとともに座面１１０ａの奥側（高座椅子１００の後方）に向かって下り傾斜面に形成されているため、使用者Ｕの大腿部の付け根側を確実に座面１１０ａに密着させることができるとともに使用者Ｕの背部を背受け部１２０に密着させることができる。
【００４１】
また、高座椅子１００は、座部１１０における使用者Ｕの大腿部の付け根側が密着する部分および背もたれ１２０における使用者Ｕの腰部が密着する部分に座面ヒータ１１４および背受け面ヒータ１２２をそれぞれ備えているため、使用者Ｕを効果的に加温することができる。また、高座椅子１００は、使用者Ｕの坐骨ＺＢの下端部、尾骨ＢＢおよび肋骨ＲＢにそれぞれ対向部分を避けた位置に座面ヒータ１１４および背受け面ヒータ１２２をそれぞれ備えているため、坐骨ＺＢ、尾骨ＢＢおよび肋骨ＲＢが身体の表面から張り出す傾向が強い高齢者に対して感じる温度のムラを抑えることができるとともに坐骨ＺＢ、尾骨ＢＢおよび肋骨ＲＢの押圧による座面ヒータ１１４および背受け面ヒータ１２２の損傷を抑制することができる。
【００４２】
また、使用者Ｕは、座部１１０上に着座した状態で、操作レバー１１２ｆを操作して背もたれ１２０のリクライニング角度を変更することができるとともに、操作子１４２を操作して座面ヒータ１１４および背受け面ヒータ１２２の各作動状態を変更することができる。そして、使用者Ｕは、高座椅子１００の使用を終了する際には、操作子１４１を操作して制御装置１４０の電源をＯＦＦにして起立して座部１１０および背もたれ１２０からそれぞれ離脱することによって高座椅子１００の使用を終了することができる。
【００４３】
上記作動説明からも理解できるように、上記実施形態によれば、高座椅子１００は、使用者が着座する座部１００の座面１１０ａに座面ヒータ１１４が設けられているため、この座面ヒータ１１４によって座面１１０ａを加温することにより座面１１０ａの冷たさを抑制して寒冷期においても快適に使用することができる。また、この高座椅子１００は、座面１１０ａの高さｈが使用者Ｕの踝の高さ以上かつ膝の高さ未満に設定されているとともに、座面１１０ａにおける使用者の大腿部が載置される部分のみに座面ヒータ１１４が設けられている。このため、高座椅子１００は、使用者が座面１１０ａに着座した際に大腿部の膝側の部分が座面１１０ａから浮いて大腿部に接触しないことがあっても大腿部の付け根部分から臀部に掛けて部分が必ず座面１１０ａに密着する。これにより、高座椅子１００は、座面ヒータ１１４の面積を小さくして消費電力を抑えつつ効率的に使用者Ｕを加温することができる。
【００４４】
さらに、本発明の実施にあたっては、上記実施形態に限定されるものではなく、本発明の目的を逸脱しない限りにおいて種々の変更が可能である。
【００４５】
例えば、上記実施形態においては、座面ヒータ１１４は、座部１１０上における使用者Ｕの坐骨ＺＢの下端部の直下部分よりも高座椅子１００の前方側であって同前方側に向かって２つの座面ヒータ１１４が広がって設けられている。しかし、座面ヒータ１１４は、座面１１０ａにおける使用者Ｕの臀部が載置される部分および大腿部の付け根部分が載置される部分のうちの少なくとも一方にのみ設けられていればよい。
【００４６】
この場合、座面ヒータ１１４は、使用者Ｕの坐骨ＺＢの下端部および尾骨ＢＢの下端部を避けた位置にのみ設けることによって着座時に座面１１０ａに対して張り出して配置される坐骨ＺＢや尾骨ＢＢの各周辺部分が他の部分よりも加温されることを避けるとともに坐骨ＺＢや尾骨ＢＢの押圧による座面ヒータ１１４の損傷を抑制することができる。特に、使用者Ｕが高齢者の場合には、臀部の肉が著しく減少して着座時に坐骨ＺＢや尾骨ＢＢが座面１１０ａに対して突出し易いため、加温感のムラや座面ヒータ１１４の損傷を効果的に抑制することができる。
【００４７】
また、座面ヒータ１１４は、２つの帯状に延びる座面ヒータ１１４を座面１１０ａの前後方向または左右方向に互いに平行に延びるように配置することもできる。また、座面ヒータ１１４は、１つの発熱体を平面視で方形、円形、楕円形またはリング形状に形成して構成することができる。この場合、座面ヒータ１１４は、使用者Ｕの坐骨ＺＢや尾骨ＢＢにそれぞれ対向する位置に発熱体を避けて構成することができる。
【００４８】
また、上記実施形態においては、背受け面ヒータ１２２は、背もたれ１２０上における使用者Ｕの肋骨ＲＢに対向する部分よりも下方にのみ配置して設けた。これにより、高座椅子１００は、着座時に背受け面１２０ａに対して張り出して対向する肋骨ＲＢの各周辺部分が他の部分よりも加温されることを避けるとともに肋骨ＲＢの押圧による背受け面ヒータ１２２の損傷を抑制することができる。特に、使用者Ｕが高齢者の場合には、背部の肉が著しく減少して背もたれ１２０の使用時に肋骨ＲＢが背受け面１２０ａに対して突出し易いため、加温感のムラや背受け面ヒータ１２２の損傷を効果的に抑制することができる。しかし、背受け面ヒータ１２２は、使用者Ｕの背部を加温することができればよいため、背受け面１２０ａ内における自由な位置に設けることができる。
【符号の説明】
【００４９】
Ｕ…使用者、ＺＢ…坐骨、ＢＢ…尾骨、ＲＢ…肋骨、Ｇ…床面、ｈ…座部（座面）の高さ、
１００…高座椅子、
１１０…座部、１１０ａ…座面、１１１…ベース板、１１２…リクライニング機構、１１２ａ…ラチェット機構、１１２ｂ〜１１２ｄ…フレーム体、１１２ｅ…中折れ機構、１１２ｆ…操作レバー、１１３…座部クッション体、１１４…座面ヒータ、１１５…座部外皮体、１１５ａ…ヒータ収納部、
１２０…背もたれ、１２０ａ…背受け面、１２１…背部クッション体、１２２…背受け面ヒータ、１２３…背部外皮材、１２３ａ…ヒータ収納部、
１３０…支持脚、１３１…柱体、１３２…座部支持梁、１３３…アームレスト、１３４…収納ポケット、
１４０…制御装置、１４１…操作子。
【図１】
2016158694.tif 000003
【図２】
2016158694.tif 000004
【図３】
2016158694.tif 000005
【図４】
2016158694.tif 000006